【手続補正書】
【提出日】平成20年1月31日(2008.1.31)
【手続補正１】
【補正対象書類名】明細書
【補正対象項目名】特許請求の範囲
【補正方法】変更
【補正の内容】
【特許請求の範囲】
【請求項１】  図柄表示部(30)に停止表示された複数列・複数段の各図柄(27)により現出され得る図柄の図柄組合わせラインを、前記図柄表示部(30)の前側に配設される透視板体(31)に設けた有効ライン(L1,L2,L3,L4,L5)で表示するようにした図柄表示装置の有効ライン表示構造であって、
前記透視板体(31)は、
前記図柄表示部(30)に対向する横有効ライン用の透明板(33A)と、
前記横有効ライン用の透明板(33A)に配設されて前記図柄表示部(30)に停止表示される前記図柄(27)の組合わせラインに沿って横方向に延在し、上下方向に離間して並列配置された３枚の表示部材(34A,34B,34C)と、
前記各表示部材(34A,34B,34C)に形成されて横方向に延在し、不透明または半透明な反射面(38)で構成される溝部(35A,35B,35C)と、
前記横有効ライン用の透明板(33A)と前後に重ね合わされた斜め有効ライン用の透明板(33B)と、
前記斜め有効ライン用の透明板(33B)に形成されて、前記図柄表示部(30)に停止表示される前記図柄(27)の組合わせラインに沿って右下がりに延在し、不透明または半透明な反射面(38)で構成される右傾斜の輝部(35D)と、
前記斜め有効ライン用の透明板(33B)に形成されて前記図柄表示部(30)に停止表示される前記図柄(27)の組合わせラインに沿って左下がりに延在して、前記右傾斜の輝部(35D)と交差し、不透明または半透明な反射面(38)で構成される左傾斜の輝部(35E)と、
前記各溝部(35A,35B,35C)および各輝部(35D,35E)に夫々対応して配置され、該溝部(35A,35B,35C)および輝部(35D,35E)に対して延在方向の端部側から照射光を照射可能で、遊技態様に対応して点灯・消灯制御される光源(32)とからなり、
前記光源(32)が点灯制御された際に該光源(32)からの照射光が前記溝部(35A,35B,35C)や輝部(35D,35E)の反射面(38)で反射し、これにより前記透視板体(31)の表面に明輝した該溝部(35A,35B,35C)や輝部(35D,35E)が前記有効ライン(L1,L2,L3,L4,L5)として表示されるよう構成した
ことを特徴とする図柄表示装置の有効ライン表示構造。
【請求項２】  図柄表示部(30)に停止表示された複数列・複数段の各図柄(27)により現出され得る図柄の図柄組合わせラインを、前記図柄表示部(30)の前側に配設される透視板体(31)に設けた有効ライン(L1,L2,L3,L4,L5)で表示するようにした図柄表示装置の有効ライン表示構造であって、
前記透視板体(31)は、
前記図柄表示部(30)に対向する横有効ライン用の透明板(33A)と、
前記横有効ライン用の透明板(33A)に配設されて前記図柄表示部(30)に停止表示される前記図柄(27)の組合わせラインに沿って横方向に延在し、上下方向に離間して並列配置された３枚の表示部材(34A,34B,34C)と、
前記各表示部材(34A,34B,34C)に形成されて横方向に延在し、不透明または半透明な反射面(38)で構成される溝部(35A,35B,35C)と、
前記横有効ライン用の透明板(33A)の前側に位置する右斜め有効ライン用の透明板(33C)と、
前記右斜め有効ライン用の透明板(33C)に形成されて、前記図柄表示部(30)に停止表示される前記図柄(27)の組合わせラインに沿って右下がりに延在し、不透明または半透明な反射面(38)で構成される右傾斜の輝部(35D)と、
前記右斜め有効ライン用の透明板(33C)と前後に重ね合わされた左斜め有効ライン用の透明板(33D)と、
前記左斜め有効ライン用の透明板(33D)に形成されて、前記図柄表示部(30)に停止表示される前記図柄(27)の組合わせラインに沿って左下がりに延在し、不透明または半透明な反射面(38)で構成される左傾斜の輝部(35E)と、
前記各溝部(35A,35B,35C)および各輝部(35D,35E)に夫々対応して配置され、該溝部(35A,35B,35C)および輝部(35D,35E)に対して延在方向の端部側から照射光を照射可能で、遊技態様に対応して点灯・消灯制御される光源(32)とからなり、
前記光源(32)が点灯制御された際に該光源(32)からの照射光が前記溝部(35A,35B,35C)や輝部(35D,35E)の反射面(38)で反射し、これにより前記透視板体(31)の表面に明輝した該溝部(35A,35B,35C)や輝部(35D,35E)が前記有効ライン(L1,L2,L3,L4,L5)として表示されるよう構成した
ことを特徴とする図柄表示装置の有効ライン表示構造。
【請求項３】  前記光源(32)を、前記表示部材(34A,34B,34C)および斜め有効ライン用の透明板(33B,33C,33D)における溝部(35A,35B,35C)および輝部(35D,35E)の端部が臨む左側端面(39)および右側端面(40)に夫々隣接配置すると共に、該光源(32)からの照射光が対応する前記溝部(35A,35B,35C)または輝部(35D,35E)の各反射面(38)に対して斜めに照射されるよう構成した請求項１または２記載の図柄表示装置の有効ライン表示構造。
【手続補正２】
【補正対象書類名】明細書
【補正対象項目名】０００７
【補正方法】変更
【補正の内容】
【０００７】
【課題を解決するための手段】
前述した課題を克服し、所期の目的を好適に達成するため本発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体は、
前記図柄表示部に対向する横有効ライン用の透明板と、
前記横有効ライン用の透明板に配設されて前記図柄表示部に停止表示される前記図柄の組合わせラインに沿って横方向に延在し、上下方向に離間して並列配置された３枚の表示部材と、
前記各表示部材に形成されて横方向に延在し、不透明または半透明な反射面で構成される溝部と、
前記横有効ライン用の透明板と前後に重ね合わされた斜め有効ライン用の透明板と、
前記斜め有効ライン用の透明板に形成されて、前記図柄表示部に停止表示される前記図柄の組合わせラインに沿って右下がりに延在し、不透明または半透明な反射面で構成される右傾斜の輝部と、
前記斜め有効ライン用の透明板に形成されて前記図柄表示部に停止表示される前記図柄の組合わせラインに沿って左下がりに延在して、前記右傾斜の輝部と交差し、不透明または半透明な反射面で構成される左傾斜の輝部と、
前記各溝部および各輝部に夫々対応して配置され、該溝部および輝部に対して延在方向の端部側から照射光を照射可能で、遊技態様に対応して点灯・消灯制御される光源とからなり、
前記光源が点灯制御された際に該光源からの照射光が前記溝部や輝部の反射面で反射し、これにより前記透視板体の表面に明輝した該溝部や輝部が前記有効ラインとして表示されるよう構成したことを特徴とする。
また前述した課題を克服し、所期の目的を好適に達成するため本願の別の発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体は、
前記図柄表示部に対向する横有効ライン用の透明板と、
前記横有効ライン用の透明板に配設されて前記図柄表示部に停止表示される前記図柄の組合わせラインに沿って横方向に延在し、上下方向に離間して並列配置された３枚の表示部材と、
前記各表示部材に形成されて横方向に延在し、不透明または半透明な反射面で構成される溝部と、
前記横有効ライン用の透明板の前側に位置する右斜め有効ライン用の透明板と、
前記右斜め有効ライン用の透明板に形成されて、前記図柄表示部に停止表示される前記図柄の組合わせラインに沿って右下がりに延在し、不透明または半透明な反射面で構成される右傾斜の輝部と、
前記右斜め有効ライン用の透明板と前後に重ね合わされた左斜め有効ライン用の透明板と、
前記左斜め有効ライン用の透明板に形成されて、前記図柄表示部に停止表示される前記図柄の組合わせラインに沿って左下がりに延在し、不透明または半透明な反射面で構成される左傾斜の輝部と、
前記各溝部および各輝部に夫々対応して配置され、該溝部および輝部に対して延在方向の端部側から照射光を照射可能で、遊技態様に対応して点灯・消灯制御される光源とからなり、
前記光源が点灯制御された際に該光源からの照射光が前記溝部や輝部の反射面で反射し、これにより前記透視板体の表面に明輝した該溝部や輝部が前記有効ラインとして表示されるよう構成したことを特徴とする。
【手続補正３】
【補正対象書類名】明細書
【補正対象項目名】０００８
【補正方法】変更
【補正の内容】
【０００８】
【作用】
横有効ライン用の透明板に配設された横方向に延在する表示部材の溝部と、斜め有効ライン用の透明板に形成された斜め方向に延在する輝部とに対し、光源からの照射光を照射することで該溝部や輝部の反射面で反射させ、これにより明輝した溝部や輝部で有効ラインを表示するので、該有効ラインが鮮明に表示されて視認性が向上する。
そして前記透視板体を、前記溝部が形成された複数の表示部材を上下方向に離間して並列配置した横有効ライン用の透明板と、右下がりの輝部および左下がりの輝部を交差状態で形成した斜め有効ライン用の透明板とから構成した場合、２枚の透明板のみで全ての有効ラインの表示が可能となり、各透明板毎に１つの有効ラインを設ける場合と比較すると前記透視板体の厚みを格段に小さくできる。
また透視板体を、前記溝部が形成された複数の表示部材を上下方向に離間して並列配置した横有効ライン用の透明板と、右下がりの輝部が形成された右斜め有効ライン用の透明板と、左下がりの輝部が形成された左斜め有効ライン用の透明板とから構成した場合、３枚の透明板で全ての有効ラインの表示が可能となり、各透明板毎に１つの有効ラインを設ける場合と比較すると前記透視板体の厚みをかなり小さくできる。しかも、右下がりの輝部と左下がりの輝部とを形成した透明板を別体で構成したことで、これを別々の光源で照射することにより夫々の輝部に対応した有効ラインが鮮明に明輝される。
前記光源を、表示部材および斜め有効ライン用の透明板の左側端面および右側端面に隣接して夫々配置すると共に、該光源からの照射光を溝部または輝部の各反射面に対して斜めに照射するよう構成したことで、照射光が反射面で好適に反射して有効ラインが鮮明に表示される。
【手続補正４】
【補正対象書類名】明細書
【補正対象項目名】００３５
【補正方法】変更
【補正の内容】
【００３５】
【発明の効果】
以上説明した如く、本発明に係る図柄表示装置の有効ライン表示構造によれば、光源からの照射光を、横有効ライン用の透明板に配設された横方向に延在する表示部材の溝部や、斜め有効ライン用の透明板に形成された斜め方向に延在する輝部の各反射面で反射させ、これにより明輝した溝部や輝部で有効ラインを表示するよう構成したので、有効ラインが鮮明に表示されて視認性が向上する利点がある。前記透視板体を、横方向に延在する複数の溝部を設けた横有効ライン用の透明板と、右下がりに延在する輝部および左下がりに延在する輝部を形成した斜め有効ライン用の透明板とから構成すれば、２枚の透明板のみで全ての有効ラインの表示が可能となり、各透明板毎に１つの有効ラインを設ける場合と比較すると前記透視板体の厚みを格段に小さくできるから、図柄の適切な透視表示が可能であると共にコストアップを招来することもない。またこの場合は、横方向に延在する有効ラインと斜めに延在する有効ラインとを個々に明確に区別して表示することができる。
【手続補正５】
【補正対象書類名】明細書
【補正対象項目名】００３６
【補正方法】変更
【補正の内容】
【００３６】
前記透視板体を、横方向に延在する複数の溝部を設けた横有効ライン用の透明板と、右下がりに延在する輝部を形成した右斜め有効ライン用の透明板と、左下がりに延在する輝部を形成した左斜め有効ライン用の透明板とから構成することにより、３枚の透明板で全ての有効ラインの表示が可能となり、各透明板毎に１つの有効ラインを設ける場合と比較すると前記透視板体の厚みをかなり小さくできるから、図柄の適切な透視表示が可能であると共にコストアップを招来することもない。しかも、斜めに延在する両輝部を別々の透明板に形成して実際には交差しないようにしたから、斜めの有効ラインをより明確に区分して鮮明に表示し得る。
【手続補正６】
【補正対象書類名】明細書
【補正対象項目名】００３７
【補正方法】変更
【補正の内容】
【００３７】
前記光源を、表示部材および斜め有効ライン用の透明板の左側端面および右側端面に隣接して夫々配置すると共に、該光源からの照射光を溝部または輝部の各反射面に対して斜めに照射するよう構成することで、照射光が反射面で好適に反射して有効ラインを鮮明に表示し得る。
【手続補正７】
【補正対象書類名】明細書
【補正対象項目名】００３８
【補正方法】削除
【補正の内容】